(57)【要約】【課題】視聴者がテレビを鑑賞中に放映映像とは関係ない映像表示装置の設定情報を画面に表示されることを防止し，シネマ等の放映画像を鑑賞するために必要のない機能の操作を禁止する映像表示装置を提供する。【解決手段】当該映像表示装置の動作情況を設定する設定情報を液晶パネル４０に表示し，表示された設定情報を選択して動作状況を変更するＯＳＤを備えた映像表示装置Ｘにおいて，ＯＳＤ画像生成部２４によって表示される設定情報の中の第１の情報を液晶パネル４０に表示させず，且つ，ＯＳＤによって設定される前記設定情報の中の第２の情報を選択させないような動作モードに当該映像表示装置の動作モードを切り換える切替手段を具備する。【選択図】図１
2011075990.tif 000002
【特許請求の範囲】
【請求項１】
当該映像表示装置の動作状況を設定するための設定情報の信号と受信した映像信号とを併せて表示画面に表示する設定情報表示手段と，表示された前記設定情報を選択することによって動作状況を変更する設定手段と，離れた場所から前記動作状況を変更する遠隔操作手段とを備えた映像表示装置において，
前記設定情報表示手段によって表示される前記設定情報の中の第１の情報を前記表示画面に表示させず，且つ，前記設定手段によって設定される前記設定情報の中の第２の情報を選択させないような動作モードに当該映像表示装置の動作モードを切り換える切替手段を具備してなる映像表示装置。
【請求項２】
前記映像信号の横と縦との画面比率が２１対９の映像信号であるかないかを判別する画面比率判別手段をさらに具備し，
前記切替手段が，
前記画面比率判別手段によって前記映像信号が画面比率が２１対９の映像信号であると判別されたことに応じて，前記動作モードを切り換えるものである請求項１に記載の映像表示装置。
【請求項３】
前記切替手段の切り換えによって選択されなくなる前記第２の情報が，前記遠隔操作手段によって選択することができる情報の全部又は一部の情報である請求項１又は２に記載の映像表示装置。
【発明の詳細な説明】
【技術分野】
【０００１】
本発明は，ＯＳＤの機能を備えた映像表示装置に関するものである。
【背景技術】
【０００２】
テレビ画面の大型化により，一般のテレビ放送を視聴する以外に，ＤＶＤ（Digital Versatile Disc）やブルーレイディスクなどでシネマを鑑賞する需要が増えている。このような状況のもと，受信した放送用の映像信号を映画館と同じ画面比率であるシネスコサイズ（横：縦＝２１：９）に変換して画面に表示する方法以外に，シネスコの映像を全画面で表示するために，シネスコサイズのテレビが発売されている。
【０００３】
一方，一般的なテレビでは，画面比率が４：３や１６：９の画面が使用されている。また，一般的なテレビでは，テレビのチャンネルを合わせたり音量を調節する操作をする際に，映像表示装置の設定情報を画面に表示させて操作するＯＳＤ（On Screen Display）が用いられている。このＯＳＤに関連する技術が特許文献１に記載されている。特許文献１に記載の方法は，ＡＶアンプやレコーダなどの外部機器と接続された表示装置において，ジャンル等のコンテンツ情報と各機器の動作状態に基づいて，バックライトや外部機器への電力供給を制限または停止を可能にする制御方法である。
【先行技術文献】
【特許文献】
【０００４】
【特許文献１】特開２００８−１４５６７９号公報
【発明の概要】
【発明が解決しようとする課題】
【０００５】
一般的なテレビでは，常にＯＳＤが機能し，映像表示装置の設定情報を画面に表示させて操作することができる。その為，従来の一般的なテレビでは，視聴者がテレビ番組やビデオ映像を鑑賞中であっても，テレビ番組等とは関係ない表示装置の設定情報が画面に表示されると，視聴者が番組に集中できないおそれがある。
そこで，本発明の目的とするところは，視聴者がテレビを鑑賞中に放映映像とは関係ない映像表示装置の設定情報を画面に表示されることを防止し，シネマ等の放映画像を鑑賞するために必要のない機能の操作を無効にする映像表示装置を提供することにある。
【課題を解決するための手段】
【０００６】
上記目的を達成するために本発明に係る映像表示装置は，次の（１）に示される構成要素を備えている。
なお，映像表示装置は，当該映像表示装置の動作状況を設定するための設定情報の信号と受信した映像信号とを併せて表示画面に表示する設定情報表示手段と，表示された前記設定情報を選択することによって動作状況を変更する設定手段と，離れた場所から前記動作状況を変更する遠隔操作手段とを備えている。
（１）前記設定情報表示手段によって表示される前記設定情報の中の第１の情報を前記表示画面に表示させず，且つ，前記設定手段によって設定される前記設定情報の中の第２の情報を選択させないような動作モードに当該映像表示装置の動作モードを切り換える切替手段。
これにより，第１の情報が放映画像と関係がない場合には，視聴者がテレビを鑑賞中に放映画像とは関係ない映像表示装置の設定情報が画面に表示されることが防止されるので，視聴者が番組等に集中できるようになると共に，第２の情報が放映画像を鑑賞するために必要のない機能の場合には，放映画像を鑑賞するために必要のない機能の操作を無効にすることによって放映画像等と関係のない設定が誤動作等によって実施されてしまう不都合を解消することができる。
また，本発明に係る映像表示装置は，さらに次の（２）に示される構成要素を備え，前記切替手段が次の（１−１）に示される処理をすることが考えられる。
（２）前記映像信号の横と縦との画面比率が２１対９の映像信号であるかないかを判別する画面比率判別手段。
（１−１）前記画面比率判別手段によって前記映像信号が画面比率が２１対９の映像信号であると判別されたことに応じて，前記切替手段が，前記動作モードを切り換えること。
画面比率が２１対９の映像信号のほとんどはシネマ画像であると看做すことができるので，上記処理により，シネマ画像の鑑賞中に望ましくない設定情報が表示されることを防止できる。例えば，チャンネル情報や，音量調節用情報が表示されることを防止できる。更に，シネマ画像を鑑賞するために望ましくない機能が誤って操作されることを禁止できる。例えば，画面比率が２１対９から４対３や１６対９に変更する画面サイズを変換する機能が操作されることを禁止できる。
さらに好ましくは，次の（１−２）に示される条件が充たされる場合が考えられる。
（１−２）前記切替手段の切り換えによって選択されなくなる前記第２の情報が，前記遠隔操作手段によって選択することができる情報の全部又は一部の情報であること。
リモコン等の遠隔操作手段は視聴者の手元にあることが多く，視聴者が放映画像（シネマ画像）を鑑賞中に誤って操作するおそれがある。そのため，視聴者が放映画像（シネマ画像）を鑑賞する際に動作モードを設定することによって，視聴者が誤ってリモコン等を操作してもその操作が無効となり，放映画像（シネマ画像）と関係のない設定が実施されてしまう不都合を防ぐことができる。
【発明の効果】
【０００７】
本発明に係る映像表示装置は，視聴者がテレビを鑑賞中に放映画像とは関係ない映像表示装置の設定情報が画面に表示されることを防止し，放映画像を鑑賞するために必要のない機能の操作を禁止することができるものであり，視聴者が番組に集中することができる映像表示装置の提供に寄与しうるものである。
【図面の簡単な説明】
【０００８】
【図１】本発明の実施形態に係る映像表示装置の一例であるテレビジョン受像機Ｘの概略構成を表すブロック図。
【図２】テレビジョン受像機Ｘにおけるシネマモードの処理の手順を表すフローチャート。
【発明を実施するための形態】
【０００９】
以下添付図面を参照しながら，本発明の実施の形態について説明し，本発明の理解に供する。なお，以下の実施の形態は，本発明を具体化した一例であって，本発明の技術的範囲を限定する性格のものではない。
【００１０】
まず，図１に示される概略構成図を参照しつつ，本発明の実施形態に係るテレビジョン受像機Ｘの構成について説明する。なお，テレビジョン受像機Ｘは，リモコン７１と本体に備えられた操作パネルによって動作状況の設定を変更することができる。
図１に示されるように，テレビジョン受像機Ｘは，チューナ１０，マルチコアＣＰＵ２０，液晶駆動回路３０，液晶パネル４０，調光回路５０，バックライト６０，インターフェース処理部（以下，ＩＦ処理部と省略する）７０，リモコン７１及びメモリ８０等を備えている。
チューナ１０は，テレビジョン放送信号から指定されたチャンネルの放送番組の映像信号及び音響信号を抽出する電子部品である。さらに，チューナ１０は，デジタル方式のテレビジョン放送信号から，映像信号及び音響信号以外のいわゆるデータ放送の情報も抽出する。データ放送の情報には，例えば，ＥＰＧ（Electronic Program Guide）の情報や放送番組ごとに提供されるその他の情報等が含まれる。
ＩＦ処理部７０は，リモコン７１によって送信された赤外線の制御信号を電気信号に変換して，マルチコアＣＰＵ２０に出力したり，外部装置に接続されることにより，その外部装置から映像信号及び音響信号が入力されるインターフェース機能を備えている。
マルチコアＣＰＵ２０は，複数のコアプロセッサが集積されたＣＰＵ（Central Processing Unit）であり，テレビジョン受像機Ｘにおける映像信号や音響信号に関する信号処理や制御を実行する。
例えば，マルチコアＣＰＵ２０は，チューナ１０及びＩＦ処理部７０を通じて得られる映像信号に基づいて，動画における１コマの画像を構成する各画素の３原色（Ｒ，Ｇ，Ｂ）それぞれの階調レベルを表すフレーム信号を順次生成し，そのフレーム信号を液晶駆動回路３０に伝送する映像信号処理を行う。なお，前述のフレーム信号は，各画素の階調のレベルを表す描画用信号である。
さらに，マルチコアＣＰＵ２０は，チューナ１０及びＩＦ処理部７０を通じて得られる音響信号に対し，イコライズ処理等の音響信号処理を実行する。処理後の音響信号は，不図示の音響アンプ及びスピーカを通じて出力される。
マルチコアＣＰＵ２０には，チューナ１０から出力される映像信号及び音響信号と，ＩＦ処理部７０を通じて外部装置から入力される映像信号及び音響信号とが入力される。以下，便宜上，チューナ１０から出力される映像信号を放送番組映像信号，外部装置からＩＦ処理部７０を通じて入力される映像信号を外部入力映像信号と称する。
マルチコアＣＰＵ２０において，複数のコアプロセッサは，それぞれが所定のプログラムを実行することによって画像処理，制御及びその他の演算処理を実行する。例えば，複数のマルチコアＣＰＵ２０は，それぞれ後述する制御部２１，主映像画像生成部２２，データ放送画像生成部２３，ＯＳＤ画像生成部２４及び画像合成部２５として機能する。なお，図１には示されていないが，マルチコアＣＰＵ２０には，音響信号に関する処理を行うコアプロセッサも含まれている。
【００１１】
液晶駆動回路３０は，マルチコアＣＰＵ２０から所定周期で順次伝送されてくるフレーム信号に基づいて，そのフレーム信号に対応する１フレーム分の映像（１コマの画像）を液晶パネル４０に順次表示させる回路である。
より具体的には，液晶駆動回路３０は，液晶表示パネルに設けられた各画素の液晶素子に対し，Ｒ，Ｇ，Ｂ３原色それぞれの階調レベル（映像輝度のレベルといってもよい）に応じた電圧の階調信号を供給する。これにより，液晶パネル４０は，フレーム信号に応じた映像を表示する。即ち，液晶駆動回路３０及び液晶パネル４０は，各画素の階調のレベルを表す描画用信号であるフレーム信号に基づいて映像を表示する映像表示手段の一例である。
調光回路５０は，マルチコアＣＰＵ２０における制御部２１からの制御指令に従って，バックライト６０の光源に対する供給電力，即ち，バックライト６０の輝度を，例えばＰＷＭ制御によって調節する回路である。なお，調光回路５０は，例えばＦＰＧＡやＡＳＩＣ等により具現化されている。
バックライト６０は，映像を表示する液晶パネル４０の背面側に配置され，複数のＬＥＤ又は複数の蛍光管などを光源として液晶パネル４０を照明する照明手段である。
メモリ８０は，制御部２１によって実行される制御プログラムが予め格納されている。また，メモリ８０は，主映像画像生成部２２によって処理される外部入力映像信号，データ放送画像生成部２３によって処理される放送番組信号，ＯＳＤ画像生成部２４によって生成されたＯＳＤ画面表示信号などの各種データが記憶される。
【００１２】
ＩＦ処理部７０は，テレビジョン受像機Ｘの操作用のリモコン７１から，リモコンプロトコルと称される信号伝送プロトコルに従って，赤外線による無線信号受信を行う信号伝送インターフェースである。そして，ＩＦ処理部７０は，赤外線信号からリモコン７１に対する操作入力情報を表す信号を抽出し，その信号を制御部２１に伝送する。
また，ＩＦ処理部７０は，テレビジョン受像機Ｘの本体に備え付けられた操作用キーからの入力信号から操作入力情報を検出して，制御部２１に伝送する。
また，ＩＦ処理部７０は，ＯＰＣ（OLE for Process Control）に準拠したインターフェースを備えており，テレビジョン受像機Ｘに接続された機器から送信された操作情報を受信して，制御部２１に伝送する。
更に，ＩＦ処理部７０は，コンポーネント端子及びＨＤＭＩ回路（High Definition Multimedia Interface）を備えている。
コンポーネント端子は，映像の３原色の信号を含むコンポーネント信号の入力端子である。
ＨＤＭＩ回路は，デジタルの映像信号及び音声信号を同時に，ベースバンド方式で外部装置から自装置へ伝送する信号伝送インターフェースである。映像信号及び音声信号の伝送は，ＴＭＤＳ（Transition Minimized Differential Signaling）ラインを通じて行われる。
また，ＨＤＭＩ回路は，ＴＭＤＳラインとは別のＣＥＣ（Consumer Electronics Control）ラインを通じて，映像信号及び音響信号以外の制御情報を伝送する機能も備えている。ＣＥＣラインを通じた情報伝送は双方向で可能である。
【００１３】
リモコン７１は，前述したようにテレビジョン受像機Ｘを操作するための操作キーに加えて，シネマモードの設定をオン・オフするシネマモードキーを備えている。ここで，シネマモードとは，一部のＯＳＤを非表示の状態にし，一部の設定動作の選択を無効にすることを言う。シネマモードの詳細については，後述する。
【００１４】
次に，マルチコアＣＰＵ２０における各構成要素の処理について説明する。マルチコアＣＰＵ２０は，制御部２１，主映像画像生成部２２，データ放送画像生成部２３，ＯＳＤ画像生成部２４，画像合成部２５を備えている。
主映像画像生成部２２は，ＩＦ処理部７０により抽出された映像信号の情報を液晶パネル４０により映像として表示するための描画用信号である主映像信号を生成する。即ち，主映像画像生成部２２は，制御部２１から指定される１つ又は複数の外部入力映像信号を，その映像信号に対応した描画用信号である主映像用フレーム信号へ変換する。なお，主映像用フレーム信号は，主映像画像生成部２２によってスケーラー処理がされており，表示可能な画素数や周波数に合うように変換されている。
データ放送画像生成部２３は，チューナ１０により抽出された放送番組映像信号を液晶パネル４０により映像として表示するための描画用信号であるデータ放送画面信号を生成する。データ放送画面信号は，例えば，ＥＰＧの情報に基づく番組表の画面を描画するための信号等である。
ＯＳＤ画像生成部２４は，テレビジョン受像機Ｘの内部パラメータをユーザの操作に応じて設定するためにその内部パラメータを液晶パネル４０に表示するための描画用信号であるＯＳＤ画面信号を生成する。内部パラメータには，例えば，バックライト６０の基準となる輝度を調整するパラメータや，表示色の色合いやコントラストを調整するパラメータ，放送チャンネルの設定に関するパラメータ等が含まれる。
画像合成部２５は，必要に応じて，主映像用フレーム信号に対し，データ放送画像生成部２３及びＯＳＤ画像生成部２４により生成される他の描画用信号を合成する処理を実行する。前述の他の描画用信号には，データ放送画面信号とＯＳＤ画面信号とが含まれる。即ち，画像合成部２５は，データ放送画像生成部２３及びＯＳＤ画像生成部２４各々により生成される他の描画用信号が存在しない場合には，主映像用フレーム信号のまま液晶を駆動する信号を生成して液晶駆動回路３０へ伝送する。一方，データ放送画像生成部２３及びＯＳＤ画像生成部２４各々により生成される他の描画用信号が存在する場合には，主映像用フレーム信号の一部を他の描画用信号に置き換えた信号である合成フレーム信号を生成し，その合成フレーム信号に基づいて液晶を駆動する信号を生成して液晶駆動回路３０へ伝送する。
【００１５】
制御部２１は，テレビジョン受像機Ｘが備える主映像画像生成部２２，データ放送画像生成部２３，ＯＳＤ画像生成部２４，画像合成部２５などの各構成要素の制御処理を実行するものである。
例えば，制御部２１は，リモコン７１あるいは図外の本体側入力部の操作キーを通じた操作入力を検知し，その操作入力の内容に応じた各種の処理を実行する。より具体的には，制御部２１は，リモコン７１あるいは図外の本体側入力部におけるチャンネル指定の操作入力に応じて，指定されたチャンネルの放送番組の信号がテレビジョン放送信号から抽出されるよう，チューナ１０を制御する。また，制御部２１は，リモコン７１あるいは図外の本体側入力部における音量調節の操作入力に応じて不図示の音響アンプを制御することにより，放送番組の出力音響の音量を調節する。
【００１６】
更に，制御部２１は，シネマモードに対応する機能を備えている。
制御部２１は，リモコン７１あるいは図外の本体側入力部に備えられたシネマモードのオン・オフを切り換えるシネマモードキーが操作されシネマモードが選択されたことに応じて，入力映像信号が主映像画像生成部２２によって生成された映像の横と縦との画面比率が２１対９の映像信号であるかないかを判別する。画面比率が２１対９の映像信号のほとんどはシネマ画像であると看做すことができるので，シネマを鑑賞していると推定される場合にのみシネマモードの操作を有効にすることができるのである。
即ち，制御部２１は，画面比率が２１対９の映像信号が表示され，且つ，シネマモードが選択された場合にのみシネマモードをオンする。シネマモードがオンとなって，シネマ等を鑑賞するために関係がない一部のＯＳＤを非表示の状態にし，シネマ等を鑑賞するために関係がない一部のＯＳＤによる設定の選択を無効にする。これにより，非表示状態にされる一部のＯＳＤがシネマ等と関係がない場合には，視聴者がテレビを鑑賞中にシネマ等とは関係ない映像表示装置の設定情報が画面に表示されることを防止して，視聴者がシネマ等に集中できるようにすると共に，選択が無効にされる一部のＯＳＤがシネマ等を鑑賞するために必要のない機能の場合には，シネマ等を鑑賞するために必要のない機能の操作を無効にすることによってシネマ等と関係のない設定が誤動作等によって実施されてしまう不都合を解消することができる。
例えば，シネマモードが設定された場合に非表示にされる一部のＯＳＤとして，音量ボリューム，消音オン・オフ，入力切替（現在の入力画面番号等） ，ボタン誤操作時のお知らせ表示（ 例えば，“デジタル放送選択中のみ選択できます。”，“静止画表示できません。”，“チャンネル選択中のみ設定できます。”  等），タイマー録画予約等している場合の表示（例えば，“録画開始”，“録画停止” 等），オフタイマーなどがある。シネマモード時に非表示にされるＯＳＤの情報は，第１の情報の一例に該当する。
例えばまた，シネマモードが設定された場合にリモコン７１による操作が無効になる一部の設定機能として，音量ボリューム，消音オン・オフ，ＡＶポジション，画面サイズ，字幕，音声切替，入力切替，電源，ファミリンク（例えば，レコーダー電源・早戻し・早送り・再生・停止等）などがある。シネマモード時に操作が無効になる機能の情報は，第２の情報の一例に該当する。
なお，シネマモード時に操作が無効になる第２の情報に該当する機能は，リモコン７１に操作キーが搭載された機能であることが望ましい。これにより，視聴者が放映画像（シネマ画像）を鑑賞している際に，誤ってリモコン７１に触れた場合であっても，放映画像（シネマ画像）を鑑賞するために望ましくない機能が誤って操作されることを防ぐことができる。
即ち，リモコン等の遠隔操作手段は視聴者の手元にあることが多く，視聴者が放映画像（シネマ画像）を鑑賞中に誤って操作するおそれがある。そのため，視聴者が放映画像（シネマ画像）を鑑賞する際に動作モード（シネマモード）が設定されると，視聴者が誤ってリモコン等を操作してもその操作が無効となり，放映画像（シネマ画像）と関係のない設定が実施されてしまう不都合を防ぐことができる。
ただし，第２の情報に該当する機能は，リモコン７１により選択できる機能の一部あるいは全部であっても良い。リモコン７１により選択される機能の中でも，特にシネマモードの視聴の妨げとなる傾向が強い一部の機能にすることで，ユーザによる操作の自由度を確保することが望ましい場合があるからである。
なお，第１の情報と第２の情報とは重複しても良く，あるいは一致しても良い。上記例では，音量ボリューム，消音オン・オフなどが重複している。
【００１７】
次に，図２に示されるフローチャートを参照しつつ，リモコン７１によって操作され，制御部２１によって設定されるシネマモードの処理の手順の一例について説明する。図２に示される処理は，主映像画像生成部２２によって（主映像信号）描画用信号が生成されている際に，制御部２１がリモコン７１によってシネマモードが操作されたことを検知したときに開始される。なお，以下に示されるＳ１０１，Ｓ１０２，…は，処理手順（ステップ）の識別符号を表す。
【００１８】
リモコン７１が操作されると，リモコン７１からＩＦ処理部７０を介して，制御部２１に操作内容が伝送される（ステップＳ１０１）。制御部２１は，操作された内容がシネマモードの設定であるかないかを判別する（ステップＳ１０２）。シネマモードの設定である場合には（ステップＳ１０２；ＹＥＳ），主映像映像生成部２２で生成された主映像信号の横と縦との画面比率が２１対９の映像であるかないかを判別する（ステップＳ１０３）。主映像信号の映像の画面比率が２１対９と一致する場合には（ステップＳ１０３；ＹＥＳ），シネマモードをオンにして，第１の情報のＯＳＤを非表示にし，第２の情報のＯＳＤの機能が選択されないようにする（ステップＳ１０４）。
シネマモードの設定でない場合（ステップＳ１０２；ＮＯ），又は主映像信号の映像の画面比率が２１対９と一致しない場合には（ステップＳ１０３；ＮＯ），メモリ８０に記憶されたプログラムに従って，各操作段階で必要な全てのＯＳＤを表示し，且つ，表示された情報に基づいて各操作段階で必要な全ての設定を選択することができる（ステップＳ１０５）。
【００１９】
以上に示したように本発明のテレビジョン受像機Ｘによれば，動作モード（シネマモード）切替手段を備えることによって，視聴者がテレビを鑑賞中に放映映像とは関係ない映像表示装置の設定情報が画面に表示されることを防止し，放映画像を鑑賞するために必要のない機能の操作を無効にすることができる。
また，テレビジョン受像機Ｘに表示される画像の画面比率が２１対９であるかないかの判別をする画面比率判別手段を備えることによって，シネマを鑑賞していると推定される場合のみシネマモードの操作を有効にすることができる。
更に，シネマモード時に操作が無効にされる機能をリモコン７１に搭載されている機能の全部又は一部にすることによって，シネマ鑑賞中に視聴者が誤ってリモコン７１に触れたとしても，シネマ鑑賞に関係がない操作が実施されることを防止できる。
【符号の説明】
【００２０】
Ｘ    ：テレビジョン受像機
１０  ：チューナ
２０  ：マルチコアＣＰＵ
２１  ：制御部
２２  ：主映像画像生成部
２３  ：データ放送画像生成部
２４  ：ＯＳＤ画像生成部
２５  ：画像合成部
３０  ：液晶駆動回路
４０  ：液晶パネル
５０  ：調光回路
６０  ：バックライト
７０  ：ＩＦ処理部
７１  ：リモコン
８０  ：メモリ
【図１】
2011075990.tif 000003
【図２】
2011075990.tif 000004